(57)【要約】      （修正有）【課題】歩行時等にコードリールが大きく揺れたり、イヤホンが耳から外れたりすることがないコード巻取り具付きステレオイヤホンを提供する。【解決手段】平板状の基板７及び当該基板の中心部から垂直に突出して一体に形成された円筒状の胴軸６を備え、前記胴軸は一端面が接着面９に形成されると共に、接着面から中心軸に沿って他端方向に向けて切り込まれ、胴軸６の径方向に導通されてなるスリット１１が形成された巻取本体部８と、前記巻取本体部と前記接着面において接着固定されることにより前記スリットの一端を閉塞してなる平板状の支持板部１０との２部材からなるコード巻取り具５を備える。さらに、前記スリットには前記イヤホンコード４が挿通され、前記コード巻取り具５が前記イヤホンコード４に沿って摺動可能に設けられてなる。【選択図】図１
0003177289.tif 000002
【実用新案登録請求の範囲】
【請求項１】
先端部にイヤホンを備えると共に、基端部にプラグ軸体を備えたイヤホンコードと、
一端面が接着面に形成された円筒状の胴軸及び当該胴軸の他端から径方向外方に拡径して形成された基板とからなる巻取本体部と、前記接着面に接着固定されてなる平板状の支持板部との２部材からなるコード巻取り具と、
前記胴軸において、前記接着面から中心軸に沿って他端方向に向けて切り込まれて形成されたスリットとを備え、
前記スリットには前記イヤホンコードが挿通され、前記コード巻取り具が前記イヤホンコードに沿って摺動可能に設けられてなる
ことを特徴とするコード巻取り具付きステレオイヤホン。
【考案の詳細な説明】
【技術分野】
【０００１】
本願考案は、イヤホンコードを巻き取って収納可能なコード巻き取り具を備えたコード巻取り具付きステレオイヤホンに関する。
【背景技術】
【０００２】
従来イヤホンコードの巻取り機能を付属させることによりイヤホンコードの所要長さだけ引き出すことができて、余分なコードをコンパクトに収納しておくことができるコードリールが周知であった。
【先行技術文献】
【特許文献】
【０００３】
【特許文献１】特開平１１−５５７７８
【考案の概要】
【考案が解決しようとする課題】
【０００４】
しかし、従来技術のコードリールは、イヤホンコードの収納機能はあるものの、イヤホンを使用する際にはイヤホンコードの中間位置に固定され、歩行時等にコードリールが大きく揺れたり、イヤホンが耳から外れたりしてイヤホンの装着感が不快である場合があった。
【課題を解決するための手段】
【０００５】
そこで、上記課題を解決するための手段として本願実用新案に係るコード巻取り具付きステレオイヤホンは、先端部にイヤホンを備えると共に、基端部にプラグ軸体を備えたイヤホンコードと、一端面が接着面に形成された円筒状の胴軸及び当該胴軸の他端から径方向外方に拡径して形成された基板とからなる巻取本体部と、前記接着面に接着固定されてなる平板状の支持板部との２部材からなるコード巻取り具と、前記胴軸において、前記接着面から中心軸に沿って他端方向に向けて切り込まれて形成されたスリットとを備え、前記スリットには前記イヤホンコードが挿通され、前記コード巻取り具が前記イヤホンコードに沿って摺動可能に設けられてなることを特徴とする。
【０００６】
スリットは、支持板部を胴軸に接着固定する前において、胴軸の接着面で軸方向に開放して形成されている。したがって、スリットの径方向幅よりも太い大きさを有するイヤホン及びプラグ軸体を備えたイヤホンコードであっても、支持板部の接着固定前にイヤホンコードを接着面方向からスリット内に挿し入れることによって、イヤホンコードにコード巻取り具を備え付けることができる。そして胴軸の一端面に形成された接着面に支持板部を接着固定することによって前記スリットの軸方向の開放部を閉塞することができ、コード巻取り具がイヤホンコードから軸方向に抜け落ちることがない。
【０００７】
また、スリットは胴軸を径方向に導通されてなるので、ステレオイヤホンの使用中において、コード巻取り具をイヤホンコードに沿って自由に摺動させることができる。これにより、使用者はコード巻取り具が歩行時等に邪魔にならない適切な位置に調節することができる。
【考案の効果】
【０００８】
本願考案によれば、コード巻取り具をイヤホンコードに沿った任意の場所に位置させることができるため容易にコード巻取り具の位置調整をすることができ、ステレオイヤホンを耳に装着して使用している状態での歩行時等においてもコード巻取り具が大きく揺れるなどして、ステレオイヤホンの装着感が不快になることがない。
【図面の簡単な説明】
【０００９】
【図１】巻取本体部と支持板部とが離脱した状態でスリットにイヤホンコードを挿し入れたコード巻取り具付きステレオイヤホンの全体を斜め方向から見た図である。
【図２】コード巻取り具の正面図を示す図である。
【図３】コード巻取り具の右側面図を示す図である。
【図４】コード巻取り具の平面図を示す図である。
【図５】コード巻取り具のＡ−Ａ断面図を示す図である。
【図６】コード巻取り具のＢ−Ｂ断面図を示す図である。
【図７】コード巻取り具のＣ−Ｃ断面図を示す図である。
【図８】イヤホンコードが伸ばした状態のコード巻取り具付きステレオイヤホンを平面方向から見た図である。
【図９】スリットにイヤホンコードを伸ばした状態で通したコード巻取り具付きステレオイヤホンを、基板と平行な面で胴軸を切断し、平面方向から見た図である。
【図１０】イヤホンコードを胴軸に巻き付けてイヤホンコードを巻取り収納した状態のコード巻取り具付きステレオイヤホンの斜視図である。
【考案を実施するための形態】
【００１０】
以下、本願考案に係る実施の形態を、図を参照しながら詳しく説明する。
【００１１】
コード巻取り具付きステレオイヤホン１は、図１に示すように先端部にイヤホン２を備え、基端部にプラグ軸体３を備えたイヤホンコード４、及びコード巻取り具５とからなる。コード巻取り具５は、円筒状の胴軸６及び当該胴軸６の他端から径方向外方に拡径して形成された基板７とからなる巻取本体部８と、胴軸６の一端面に形成された接着面９に接着固定される平板状の支持板部１０との２部材からなる。
【００１２】
胴軸６には接着面９の中央部から中心軸に沿って他端方向に向けて切り込まれて形成されたスリット１１が設けられており、さらに、スリット１１は胴軸６の径方向に導通されてなる。したがって、スリット１１には図１に示すようにイヤホンコード４を径方向に挿通させることができる。
【００１３】
コード巻取り具５は、胴軸６の接着面９に支持板部１０が接着固定されることによりスリット１１が一端方向から閉塞され、図２に示すように正面方向からは胴軸６にスリット１１により形成された貫通孔を径方向に確認することができる。一方、図３に示すように右側面図からは胴軸６に貫通孔を確認することはできない構造になっている。また、図５に示すＡ−Ａ断面図、図６に示すＢ−Ｂ断面図、及び図７に示すＣ−Ｃ断面図を合わせ見ることによっても、スリット１１が胴軸６の一径方向にのみ貫通して形成されていることがわかる。
【００１４】
また、本実施の形態において、コード巻取り具５を図４に示すように平面方向から見ると支持板部１０は円形平板状に形成されてなる。これは、胴軸６にイヤホンコード４を巻き付ける際に巻取り作業が行いやすいという利点がある。なお、図７にも示すように、本実施の形態において、基板７の形状も支持板部１０と同一の円形平板状に形成されてなる。支持板部１０と基板７とが同一の円形平板状であることによって、コード巻取り具５を手で回転させ易くなり、イヤホンコード４の巻取り作業をより効率的に行なうことができる。
【００１５】
コード巻取り具５には前述したようにイヤホンコード４がスリット１１に挿通されて取付けられている。したがって、コード巻取り具５は、図８、図９に示すようにイヤホンコード４が伸ばされた状態において当該コードに沿って自在に摺動させることができる。コード巻取り具５がイヤホンコード４に沿って自在に摺動可能であることによって、コード巻取り具５をイヤホンコード４に沿った任意の場所に位置させることができるため、容易にコード巻取り具５の位置調整をすることができ、ステレオイヤホンを耳に装着して使用している状態での歩行時等においてもコード巻取り具５が大きく揺れるなどして、ステレオイヤホンの装着感が不快になることがない。
【００１６】
また、コード巻取り具付きステレオイヤホン１を使用しない場合においては図１０に示すようにイヤホンコード４を胴軸６の周面に巻き付けることによってコンパクトに収納させることができる。
【符号の説明】
【００１７】
１    コード巻取り具付きステレオイヤホン
２    イヤホン
３    プラグ軸体
４    イヤホンコード
５    コード巻取り具
６    胴軸
７    基板
８    巻取本体部
９    接着面
１０  支持板部
１１  スリット
【図１】
0003177289.tif 000003
【図２】
0003177289.tif 000004
【図３】
0003177289.tif 000005
【図４】
0003177289.tif 000006
【図５】
0003177289.tif 000007
【図６】
0003177289.tif 000008
【図７】
0003177289.tif 000009
【図８】
0003177289.tif 000010
【図９】
0003177289.tif 000011
【図１０】
0003177289.tif 000012